(57)【要約】【課題】一方向に長い照射範囲において、照度を確保しつつ容易に配光を変更することができる照明器具を提供する。【解決手段】矩形の主器具本体２０に長手方向に沿って複数個の光源２２を配置したので、長手方向に照度を確保することができる。また、主器具本体２０に対して副器具本体３０を可動状態で連結し、副器具本体３０の長手方向に沿って複数個の光源３２を配置したので、副器具本体３０を動かすことにより、照度を確保しつつ容易に配光を変更することができる。【選択図】図１
2010192314.tif 000002
【特許請求の範囲】
【請求項１】
天井から吊り下げられる矩形の主器具本体と、
前記主器具本体に対して可動状態で連結される矩形の副器具本体と、を有し、
前記主器具本体には長手方向に沿って複数個の光源を配置するとともに、
前記副器具本体には長手方向に沿って複数個の光源を配置したことを特徴とする照明器具。
【請求項２】
前記副器具本体が、前記主器具本体に対して上下に回動可能に連結されたことを特徴とする請求項１記載の照明器具。
【請求項３】
前記副器具本体が、前記主器具本体に対して回転可能に連結されたことを特徴とする請求項１または２記載の照明器具。
【発明の詳細な説明】
【技術分野】
【０００１】
本発明は、光源にＬＥＤを用い、配光を容易に変更することができる照明器具に関するものである。
【背景技術】
【０００２】
従来より、光源であるＬＥＤの周囲に設けた導光体の向きを変えることにより、配光を変更することが行われている（例えば特許文献１参照）。
図８に示すように、特許文献１に記載の照明器具１００では、天井面ＣＥに固定される器具本体１０１を有しており、器具本体１０１の下面には、光源であるＬＥＤ１０２が複数個取付けられている。器具本体１０１の周囲には、複数のＬＥＤ１０２を囲うようにほぼ円周上に、複数の板状の導光体１０３が、器具本体１０１に対して上下に回動可能に設けられている。
【０００３】
従って、必要に応じて、１枚または複数枚の導光体１０３を適宜回動することにより、容易に配光を変更することができる。これにより、例えば、一般住宅のダイニングテーブルにおいて、食事、飲酒あるいは勉強、読書等をする際に、同じ一台の照明器具１００を用いて、導光体１０３を回動させることにより、各状況に応じた配光状態を容易に得ることができる。
【先行技術文献】
【特許文献】
【０００４】
【特許文献１】特開２００７−８０５３９号公報（第１図）
【発明の概要】
【発明が解決しようとする課題】
【０００５】
しかしながら、前述した特許文献１に記載の照明器具１００においては、導光体１０３がほぼ円周上に設けられているため、一方向に長い配光を得るには適しない。例えば、一方向へ長いテーブルで飲食等をする場合には、長手方向の端部において照度が不足するおそれがあるという問題があった。
【０００６】
本発明は、従来の問題を解決するためになされたもので、一方向に長い照射範囲において、照度を確保しつつ容易に配光を変更することができる照明器具を提供することを目的とする。
【課題を解決するための手段】
【０００７】
本発明の照明器具は、天井から吊り下げられる矩形の主器具本体と、前記主器具本体に対して可動状態で連結される矩形の副器具本体と、を有し、前記主器具本体には長手方向に沿って複数個の光源を配置するとともに、前記副器具本体には長手方向にそって複数個の光源を配置した構成を有している。
【０００８】
この構成により、矩形の主器具本体に長手方向に沿って複数個の光源を配置したので、長手方向に照度を確保することができる。また、主器具本体に対して副器具本体を可動状態で連結し、副器具本体の長手方向に沿って複数個の光源を配置したので、副器具本体を動かすことにより、照度を確保しつつ容易に配光を変更することができる。
【０００９】
また、本発明の照明器具は、前記主器具本体に対して上下に回動可能に連結された構成を有している。
【００１０】
この構成により、主器具本体に設けられた回動軸を軸として、副器具本体を主器具本体に対して上下方向に回動することにより、容易に配光を変更することができる。
【００１１】
さらに、本発明の照明器具は、前記副器具本体が、前記主器具本体に対して回転可能に連結された構成を有している。
【００１２】
この構成により、主器具本体に設けられた回転軸を軸として、副器具本体を主器具本体に対して回転することにより、容易に配光を変更することができる。
【発明の効果】
【００１３】
本発明は、矩形の主器具本体に長手方向に沿って複数個の光源を配置したので、長手方向に照度を確保することができる。また、主器具本体に対して副器具本体を可動状態で連結し、副器具本体の長手方向に沿って複数個の光源を配置したので、副器具本体を動かすことにより、照度を確保しつつ容易に配光を変更することができるという効果を有する照明器具を提供することができるものである。
【図面の簡単な説明】
【００１４】
【図１】（Ａ）は本発明の照明器具の第１実施形態を示す斜視図、（Ｂ）は配光状態を示す説明図
【図２】（Ａ）は主器具本体と副器具本体との間の連結部を示す断面図、（Ｂ）は（Ａ）中Ｂ方向から見た下面図
【図３】（Ａ）は副器具本体を下方へ回動させた状態を示す斜視図、（Ｂ）は配光状態を示す説明図
【図４】（Ａ）は副器具本体を１８０度回転させた状態を示す斜視図、（Ｂ）は配光状態を示す説明図
【図５】本発明の照明器具の第２実施形態を示す斜視図
【図６】副器具本体を下方へ回動させた状態を示す斜視図
【図７】副器具本体を１８０度回転させた状態を示す斜視図
【図８】従来の照明器具を示す断面図
【発明を実施するための形態】
【００１５】
（第１実施形態）
以下、本発明の第１実施形態の照明器具について、図面を用いて説明する。
図１（Ａ）は本発明の照明器具の第１実施形態を示す斜視図、図１（Ｂ）は配光を示す説明図、図２（Ａ）は主器具本体と副器具本体との間の連結部を示す断面図、図２（Ｂ）は図２（Ａ）中Ｂ方向から見た下面図、図３（Ａ）は副器具本体を下方へ回動させた状態を示す斜視図、図３（Ｂ）は配光を示す説明図、図４（Ａ）は副器具本体を１８０度回転させた状態を示す斜視図、図４（Ｂ）は配光を示す説明図である。
【００１６】
図１に示すように、本発明の第１実施形態にかかる照明器具１０は、天井１１から吊り下げて使用するものであり、天井１１から吊り下げられる矩形の主器具本体２０を有する。主器具本体２０は、一端が天井１１に取付けられた吊り部材１２により吊り下げられるとともに、電力が供給される。
【００１７】
主器具本体２０は全体矩形状をしており、下面２１には主器具本体２０の長手方向（図１（Ａ）において左右方向）に沿って、光源であるＬＥＤ２２が複数個設けられている。主器具本体２０の長手方向両端部には、副器具本体３０、３０がおのおの可動状態で設けられている。副器具本体３０は、全体矩形状をしており、下面３１には、副器具本体３０の長手方向に沿って、光源であるＬＥＤ３２が複数個設けられている。図２に示すように、各ＬＥＤ２２、３２の前方には、レンズ２３、３３が取付けられており、ＬＥＤ２２、３２を保護するとともに、ＬＥＤ２２、３２からの光の照射範囲を所定の範囲に広げている。
【００１８】
図２に示すように、副器具本体３０は、連結部４０を介して、主器具本体２０に対して可動状態で連結されている。なお、主器具本体２０の図１中左右両側に設けられている副器具本体３０、３０の連結部４０は共通なので、図２においては、図１中左側の副器具本体３０の連結について示す。
【００１９】
主器具本体２０の端面２６には、左右両端部の下端部に連結用ブラケット２４が外側へ突設されており、先端部に回動軸２５を有する。連結部４０の連結本体４１の右側面が、回動軸２５により主器具本体２０に対して上下方向（図２（Ａ）中矢印Ａ１方向）へ回動可能に連結される。連結本体４１の左側面には、回転軸４２が外側へ突設されており、回転軸４２には副器具本体３０が回転可能かつ脱落しないように取付けられる。
なお、「回動」とは回動軸２５を中心として開閉状態で移動することを言い、「回転」とは回転軸４２を中心として回転移動することを言う。
【００２０】
従って、図１（Ａ）に示すように主器具本体２０に対して副器具本体３０、３０をまっすぐに伸ばした状態では、図１（Ｂ）に示すように、照明器具１０の長手方向に沿って所定の照度で照明することができる。例えば、長いテーブル等を用いて食事する際の照明として適する。
【００２１】
また、図３には、図１に示した状態から、両副器具本体３０、３０を回動軸２５回りに下方（図３（Ａ）中矢印方向）へ回動させた場合が示されている。この状態では、副器具本体３０からの光が主器具本体２０側へ照射され、中央部を明るく照明することができ、例えば、テーブルの中央で読書や勉強等をする際に適する。
【００２２】
さらに、図４には、図１に示した状態から、両副器具本体３０、３０を回転軸４２回りに（図４（Ａ）中矢印方向）へ回転させた場合が示されている。すなわち、副器具本体３０の下面３１およびＬＥＤ３２が天井１１に対面し、副器具本体３０の上面３４（図１参照）が下方へ向く。この状態では、副器具本体３０のＬＥＤ３２からの光が天井１１へ照射され、天井１１からの反射光と、主器具本体２０からの直接光で室内を照明することができる。例えば、室内でくつろいでいるとき等に適する。
なお、図示はしないが、図２に示す状態から、副器具本体３０を回転軸４２回りに回転させることも可能である。
【００２３】
以上、説明した本発明の第１実施形態にかかる照明器具１０によれば、矩形の主器具本体２０に長手方向に沿って複数個のＬＥＤ２２を配置したので、長手方向に照度を確保することができる。また、主器具本体２０に対して副器具本体３０を可動状態で連結し、副器具本体３０の長手方向に沿って複数個のＬＥＤ３２を配置したので、副器具本体３０を動かすことにより、照度を確保しつつ容易に配光を変更することができる。
【００２４】
また、副器具本体３０が、主器具本体２０に対して上下に回動可能に連結されているので、副器具本体３０を主器具本体２０に対して上下方向に回動することにより、容易に配光を変更することができる。
【００２５】
さらに、副器具本体３０が、主器具本体２０に対して回転可能に連結されているので、副器具本体３０を主器具本体２０に対して回転させることにより、例えば、天井１１を照射することができ、容易に配光を変更することができる。
【００２６】
（第２実施形態）
次に、本発明の第２実施形態の照明器具について、図面を用いて説明する。
図５は本発明の照明器具の第２実施形態を示す斜視図、図６は副器具本体を下方へ回動させた状態を示す斜視図、図７は副器具本体を１８０度回転させた状態を示す斜視図である。なお、前述した第１実施形態にかかる照明器具と共通する部位には同じ符号を付して、重複する説明を省略することとする。
【００２７】
図５に示すように、本発明の第２実施形態にかかる照明器具１０Ｂは、天井１１から吊り下げられる矩形の主器具本体２０Ｂの左右（長手方向に直交する側）の両側に、副器具本体３０Ｂ、３０Ｂがおのおの可動状態で設けられている。主器具本体２０Ｂおよび左右の副器具本体３０Ｂには、おのおの長手方向に沿って複数個のＬＥＤ２２、３２が設けられている。
なお、主器具本体２０Ｂと副器具本体３０Ｂ、３０Ｂとの間の連結部４０は、前述したものと同様である（図２参照）。
【００２８】
従って、図５に示すように、主器具本体２０Ｂに対して副器具本体３０Ｂ、３０Ｂをまっすぐに伸ばした一平面状態では、照明器具１０の長手方向に沿って所定の照度で照明することができる。
【００２９】
また、図６に示すように、図５に示した状態から、副器具本体３０Ｂ、３０Ｂを回動軸２５回りに下方（図６中矢印方向）へ回動させることにより、副器具本体３０Ｂからの光が主器具本体２０Ｂ側へ照射され、中央部を明るく照明することができる。
【００３０】
さらに、図７に示すように、図５に示した状態から、副器具本体３０Ｂを回転軸４２回りに （図７中矢印方向）へ回転させることにより、副器具本体３０ＢのＬＥＤ３２からの光を天井１１へ照射することができる。これにより、天井１１からの反射光と、主器具本体２０からの直接光で室内を照明することができる。
【００３１】
なお、図７においては、一方の副器具本体３０Ｂのみを回転させているが、両方の副器具本体３０Ｂ、３０Ｂを回転させることができる。また、図６に示す副器具本体３０を回動させた状態から、さらに回転軸４２回りに回転させることも可能である。
【００３２】
以上、説明した本発明の第２実施形態にかかる照明器具１０Ｂによれば、前述した第１実施形態にかかる照明器具１０と同様に、長手方向に照度を確保することができる。また、副器具本体３０Ｂを動かすことにより、照度を確保しつつ容易に配光を変更することができる。
【００３３】
なお、本発明の照明器具は、前述した各実施形態に限定されるものでなく、適宜な変形，改良等が可能である。
【符号の説明】
【００３４】
１０  照明器具
１１  天井
２０  主器具本体
２２  ＬＥＤ（光源）
３０  副器具本体
３２  ＬＥＤ（光源）
【図１】
2010192314.tif 000003
【図２】
2010192314.tif 000004
【図３】
2010192314.tif 000005
【図４】
2010192314.tif 000006
【図５】
2010192314.tif 000007
【図６】
2010192314.tif 000008
【図７】
2010192314.tif 000009
【図８】
2010192314.tif 000010